(57)【要約】【課題】歪補償性能の低下を抑制する。【解決手段】基地局１０は、歪補償を行った送信信号を送信する複数の送信部５０（５０−１〜５０−２）を有する。送信部５０は、ＰＡ３４と、フィードバック経路と、歪補償部２０とを有する。ＰＡ３４は、送信信号を増幅して出力する。フィードバック経路は、ＰＡ３４の出力を減衰してフィードバックする。歪補償部２０は、フィードバック経路を介してフィードバックされた信号に基づいて算出される歪補償係数に基づいて歪補償を行う。【選択図】図１
2018078532.tif 000002
【特許請求の範囲】
【請求項１】
歪補償を行った送信信号を送信する複数の送信部を有する基地局において、
前記送信部は、
前記送信信号を増幅して出力する第１の増幅器と、
前記第１の増幅器の出力を減衰してフィードバックするフィードバック経路と、
前記フィードバック経路を介してフィードバックされた信号に基づいて算出される歪補償係数に基づいて歪補償を行う歪補償部と
を有することを特徴とする基地局。
【請求項２】
前記フィードバック経路を介してフィードバックされた信号に基づいて歪補償係数を算出する算出部をさらに有することを特徴とする請求項１に記載の基地局。
【請求項３】
前記フィードバック経路を介してフィードバックされた信号の電力を、前記フィードバック経路によって減衰された減衰量に応じて増幅させる第２の増幅器を有し、
前記歪補償部は、
前記第２の増幅器によって増幅された信号に基づく前記歪補償係数を用いて歪補償を行うことを特徴とする請求項１または２に記載の基地局。
【請求項４】
前記複数の送信部のそれぞれが有するフィードバック経路のいずれかを選択する選択部と、
前記選択部によって選択されたフィードバック経路を介してフィードバックされた信号の電力を、前記フィードバック経路によって減衰された減衰量に応じて増幅させる第２の増幅器と
をさらに有し、
前記算出部は、
前記第２の増幅器によって増幅された信号に基づいて、対応する前記送信部の歪補償係数を算出することを特徴とする請求項２に記載の基地局。
【請求項５】
前記フィードバック経路には、信号の電力を減衰する減衰器が含まれ、
前記減衰器は、
前記フィードバック経路に流れる信号の電力を、当該信号によって、他の前記送信部が有する前記フィードバック経路に発生する干渉信号の電力が所定の電力以下となるように減衰させることを特徴とする請求項１乃至４のいずれか一項に記載の基地局。
【請求項６】
前記フィードバック経路には、信号の電力を減衰する減衰器が含まれ、
前記減衰器は、
前記第１の増幅器に入力される前記送信信号の電力に応じて、前記フィードバック経路に流れる信号の電力の減衰量を変更することを特徴とする請求項１乃至４のいずれか一項に記載の基地局。
【請求項７】
前記複数の送信部のそれぞれが有する前記フィードバック経路に含まれる、信号の電力を減衰する減衰器を順次１つずつ選択し、選択された減衰器に第１の減衰量を設定し、前記選択された減衰器以外の減衰器に、前記第１の減衰量よりも減衰量が大きい第２の減衰量を設定する設定部をさらに有し、
前記算出部は、
前記設定部によって前記第１の減衰量が設定された減衰器が設けられたフィードバック経路を介してフィードバックされた信号に基づいて前記歪補償係数を算出することを特徴とする請求項２に記載の基地局。
【請求項８】
前記複数の送信部のそれぞれが有するフィードバック経路のうち、前記設定部によって前記第１の減衰量が設定された前記減衰器が設けられたフィードバック経路を選択する選択部を有し、
前記算出部は、
前記複数の送信部について共通に１つ設けられ、前記選択部によって選択されたフィードバック経路を介してフィードバックされた信号に基づいて前記歪補償係数を算出することを特徴とする請求項７に記載の基地局。
【請求項９】
歪補償を行った送信信号を増幅器によって増幅して送信する複数の送信部を有する基地局が、
前記送信部に設けられたフィードバック経路を介してフィードバックされる前記増幅器の出力を減衰させ、
前記フィードバック経路を介してフィードバックされた信号に基づいて算出される歪補償係数に基づいて、前記増幅器に入力される前記送信信号に対して歪補償を行う
処理を実行する歪補償方法。
【発明の詳細な説明】
【技術分野】
【０００１】
本発明は、基地局および歪補償方法に関する。
【背景技術】
【０００２】
近年、基地局に搭載される高出力の増幅器には、その前段に歪補償部が設けられる。歪補償部では、増幅器に入力される送信信号に所定の歪補償係数が乗算されることにより、増幅器の非線形特性と逆の特性が送信信号に付与される。そして、歪補償係数が乗算された送信信号は、増幅器に入力され増幅される。そして、増幅器の出力は、分配器を介してフィードバックされ、フィードバックされた信号に基づいて、増幅器の出力に含まれる歪成分が小さくなるように、増幅器に入力される送信信号に乗算される歪補償係数が更新される。これにより、増幅器の出力に含まれる歪成分が低減される。
【先行技術文献】
【特許文献】
【０００３】
【特許文献１】特開２００６−１５７３８５号公報
【発明の概要】
【発明が解決しようとする課題】
【０００４】
ところで、近年は、トラフィックの増加に伴い、基地局の設置台数が多くなっている。しかし、基地局の設置場所は限られているため、複数の基地局の機能が１つの基地局装置内に集約される場合がある。複数の基地局の機能が１つの基地局内に集約される場合、信号配線が近接して配置される場合があり、一方の信号配線に流れる信号が、他方の信号配線に干渉信号を発生させる場合がある。
【０００５】
例えば、増幅器の歪補償を行うためのフィードバック信号が伝送される信号配線が、別々の送信信号を送信する送信部間で近接して配置された場合、一方の信号配線に流れるフィードバック信号が、他方の信号配線に干渉信号を発生させる。これにより、歪補償部には、歪補償の対象となる増幅器の出力からフィードバックされた信号の他に、他の増幅器の出力からフィードバックされた信号によって発生した干渉信号も入力されることになる。そして、歪補償部は、これらの信号に基づいて歪補償係数を更新してしまう。干渉信号は、歪補償の対象となる増幅器について調整された歪補償係数とは無関係に変動するため、歪補償部は、歪補償の対象となる増幅器について、出力された信号に含まれる歪成分を小さくする歪補償係数を算出することが困難となる。そのため、歪補償部による歪補償性能が低下する。
【０００６】
開示の技術は、かかる点に鑑みてなされたものであって、歪補償性能の低下を抑制することができる基地局および歪補償方法を提供することを目的とする。
【課題を解決するための手段】
【０００７】
１つの側面では、基地局は、歪補償を行った送信信号を送信する複数の送信部を有する。送信部は、増幅器と、フィードバック経路と、歪補償部とを有する。増幅器は、送信信号を増幅して出力する。フィードバック経路は、増幅器の出力を減衰してフィードバックする。歪補償部は、フィードバック経路を介してフィードバックされた信号に基づいて算出される歪補償係数に基づいて歪補償を行う。
【発明の効果】
【０００８】
本願が開示する基地局および歪補償方法の１つの態様によれば、歪補償性能の低下を抑制することができるという効果を奏する。
【図面の簡単な説明】
【０００９】
【図１】図１は、実施例１における基地局の一例を示すブロック図である。
【図２】図２は、減衰量テーブルの一例を示す図である。
【図３】図３は、フィードバック経路に流れる信号の周波数スペクトラムの一例を示す図である。
【図４】図４は、フィードバック経路に流れる信号の周波数スペクトラムの一例を示す図である。
【図５】図５は、実施例１における更新処理のタイミングの一例を示すタイミングチャートである。
【図６】図６は、減衰量テーブル作成処理の一例を示すフローチャートである。
【図７】図７は、実施例１における更新処理の一例を示すフローチャートである。
【図８】図８は、実施例２における基地局の一例を示すブロック図である。
【図９】図９は、実施例２における更新処理のタイミングの一例を示すタイミングチャートである。
【図１０】図１０は、実施例２における更新処理の一例を示すフローチャートである。
【図１１】図１１は、実施例３における基地局の一例を示すブロック図である。
【図１２】図１２は、フィードバック経路に流れる信号の周波数スペクトラムの一例を示す図である。
【図１３】図１３は、実施例３における更新処理のタイミングの一例を示すタイミングチャートである。
【図１４】図１４は、実施例３における更新処理の一例を示すフローチャートである。
【図１５】図１５は、実施例４における基地局の一例を示すブロック図である。
【図１６】図１６は、実施例４における更新処理のタイミングの一例を示すタイミングチャートである。
【図１７】図１７は、基地局のハードウェアの一例を示す図である。
【発明を実施するための形態】
【００１０】
以下に、本願の開示する基地局および歪補償方法の実施例を、図面に基づいて詳細に説明する。なお、以下の実施例は開示の技術を限定するものではない。
【実施例１】
【００１１】
［基地局１０］
図１は、実施例１における基地局１０の一例を示すブロック図である。本実施例における基地局１０は、制御部１５、記憶部１６、および複数の送信部５０−１〜５０−２を有する。本明細書では、送信部５０−１をブランチＡと記載し、送信部５０−２をブランチＢと記載する。また、以下では、複数の送信部５０−１〜５０−２のそれぞれを区別することなく総称する場合に、単に送信部５０と記載する。なお、本実施例において、基地局１０は、２つのブランチを有するが、他の例として、基地局１０は、３つ以上のブランチを有していてもよい。
【００１２】
それぞれの送信部５０は、ＤＡＣ（Digital  to  Analog  Converter）１１、ＡＤＣ（Analog  to  Digital  Converter）１２、歪補償部２０、およびアナログ送信部３０を有する。
【００１３】
歪補償部２０は、後述するフィードバック経路を介してフィードバックされた信号に基づいて算出される歪補償係数に基づいて歪補償を行う。例えば、歪補償部２０は、送信信号に、アナログ送信部３０に含まれる増幅器の非線形特性と逆の特性を送信信号に付与するための歪補償係数に基づく演算を施すことにより、増幅器の歪補償を行う。そして、歪補償部２０は、歪補償が行われた送信信号をＤＡＣ１１へ出力する。ＤＡＣ１１は、歪補償部２０から出力された送信信号をデジタル信号からアナログ信号に変換する。
【００１４】
アナログ送信部３０は、ＤＡＣ１１によってアナログ信号に変換された送信信号にアップコンバートや増幅等の所定の処理を施し、処理後の送信信号を無線送信する。また、アナログ送信部３０は、アナログ送信部３０に含まれる増幅器の出力の一部を所定の減衰量で減衰させた後に、ダウンコンバート等の処理を施す。そして、アナログ送信部３０は処理後の信号をフィードバック信号としてＡＤＣ１２へ出力する。ＡＤＣ１２は、アナログ送信部３０から出力されたフィードバック信号をアナログ信号からデジタル信号に変換する。歪補償部２０は、ＡＤＣ１２によってデジタル信号に変換されたフィードバック信号に基づいて、歪補償の演算に用いられる歪補償係数を更新する。
【００１５】
本実施例において、それぞれの送信部５０内の歪補償部２０は、歪補償処理部２１、アドレス生成部２２、ＬＵＴ（Look  Up  Table）２３、更新部２４、およびゲイン調整部２５を有する。
【００１６】
アドレス生成部２２は、送信信号の電力に応じたアドレスを生成する。ＬＵＴ２３は、アドレスに対応付けて歪補償係数を保持しており、アドレス生成部２２によって生成されたアドレスに対応する歪補償係数を歪補償処理部２１へ出力する。歪補償処理部２１は、ＬＵＴ２３から出力された歪補償係数を用いて、送信信号に所定の演算を施すことにより、アナログ送信部３０内の増幅器の非線形特性と逆の特性を送信信号に付与する歪補償を行う。歪補償処理部２１は、例えば、ＬＵＴ２３から出力された歪補償係数を送信信号に乗算することにより、アナログ送信部３０内の増幅器の非線形特性と逆の特性を送信信号に付与する。そして、歪補償処理部２１は、歪補償が行われた送信信号をＤＡＣ１１へ出力する。
【００１７】
ゲイン調整部２５は、制御部１５から指示されたゲインの調整量に応じて、ＡＤＣ１２から出力されたフィードバック信号の電力を増幅させることにより、フィードバック信号のゲインを調整する。ゲイン調整部２５がフィードバック信号を増幅させる際のゲインは、後述する減衰器３６の減衰量と略等しい。ゲイン調整部２５は、第２の増幅器の一例である。更新部２４は、送信部５０に入力された送信信号と、ゲイン調整部２５によってゲインが調整されたフィードバック信号とに基づいて、歪補償係数を算出する。そして、更新部２４は、算出した歪補償係数で、ＬＵＴ２３内の歪補償係数を更新する。更新部２４は、算出部の一例である。
【００１８】
それぞれのアナログ送信部３０は、アップコンバータ３１、発振器３２、ダウンコンバータ３３、ＰＡ（Power  Amplifier）３４、カプラ３５、減衰器３６、およびアンテナ３７を有する。アップコンバータ３１は、発振器３２によって生成された局発信号に基づいて、ＤＡＣ１１から出力された送信信号にアップコンバートや変調等の処理を施す。ＰＡ３４は、アップコンバータ３１によってアップコンバート等の処理が施された送信信号を増幅して出力する。ＰＡ３４は、第１の増幅器の一例である。アンテナ３７は、ＰＡ３４によって増幅された送信信号を無線信号として空間に放射する。
【００１９】
カプラ３５は、ＰＡ３４によって増幅された送信信号の一部をフィードバック信号として減衰器３６へ出力する。減衰器３６は、制御部１５から指示された減衰量で、カプラ３５から出力されたフィードバック信号を減衰させる。そして、減衰器３６は、減衰後のフィードバック信号を、配線３８を介してダウンコンバータ３３へ出力する。ダウンコンバータ３３は、発振器３２によって生成された局発信号に基づいて、減衰器３６から出力されたフィードバック信号にダウンコンバートや復調等の処理を施す。ダウンコンバータ３３によってダウンコンバート等の処理が施されたフィードバック信号は、配線３９を介してＡＤＣ１２へ出力される。減衰器３６、配線３８、および配線３９は、フィードバック経路の一例である。即ち、フィードバック経路は、ＰＡ３４の出力を減衰してフィードバックする。
【００２０】
記憶部１６は、例えば図２に示す減衰量テーブル１６０を記憶する。図２は、減衰量テーブル１６０の一例を示す図である。減衰量テーブル１６０は、それぞれのブランチを識別する識別子１６１に対応付けて個別テーブル１６２を有する。それぞれの個別テーブル１６２には、送信電力１６３に対応付けて、減衰器３６に設定される減衰量１６４と、ゲイン調整部２５に設定されるゲインの調整値１６５とが格納されている。
【００２１】
制御部１５は、各ブランチにおいて送信される送信信号の電力を監視する。そして、制御部１５は、各ブランチについて記憶部１６内の減衰量テーブル１６０を参照し、送信電力に対応する減衰量および調整値を取得する。そして、制御部１５は、各ブランチについて、取得された減衰量を減衰器３６に設定し、取得された調整量をゲイン調整部２５に設定する。
【００２２】
なお、図２に例示した減衰量テーブル１６０では、各ブランチの個別テーブル１６２に格納されている送信電力の値は、離散的な値である。そのため、制御部１５は、各ブランチについて減衰量および調整値を取得する場合、個別テーブル１６２に格納されており、かつ、現在の送信電力よりも大きい送信電力の値の中で、現在の送信電力に最も近い値を特定する。そして、制御部１５は、特定した送信電力の値に対応付けられている減衰量および調整値を取得する。
【００２３】
ここで、基地局１０の小型化等により、基地局１０内において、複数の送信部５０が近接して配置されることにより、例えば、各ブランチ内の配線３８および配線３９が、他のブランチ内の配線３８および配線３９と近接して配置される場合がある。この場合、一方のアナログ送信部３０内の配線３８および配線３９に流れるフィードバック信号によって、例えば図３に示すように、他方のアナログ送信部３０内の配線３８および配線３９に干渉信号が発生することがある。図３は、フィードバック経路に流れる信号の周波数スペクトラムの一例を示す図である。図３（ａ）は、ブランチＡの配線３８に流れる信号の周波数スペクトラムの一例を示し、図３（ｂ）は、ブランチＢの配線３８に流れる信号の周波数スペクトラムの一例を示している。なお、図３（ａ）および（ｂ）では、各ブランチ内の減衰器３６の減衰量が０の場合における、配線３８に流れる信号の周波数スペクトラムの一例が例示されている。
【００２４】
例えば図３（ａ）に示すように、ブランチＡの配線３８には、カプラ３５から出力されたフィードバック信号４０の他に、ブランチＢのカプラ３５から出力されブランチＢの配線３８に流れるフィードバック信号によって干渉信号４１が発生する。ここで、例えば図３（ａ）に示すように、ブランチＡの配線３８において、フィードバック信号４０の電力をＰa、干渉信号４１の電力をＰib、ブランチＡの配線３８に存在するノイズフロアの電力をＰnと定義する。また、例えば図３（ａ）に示すように、干渉信号４１の電力ＰibとノイズフロアＰnとの電力差をΔＰibと定義する。
【００２５】
また、例えば図３（ｂ）に示すように、ブランチＢの配線３８には、カプラ３５から出力されたフィードバック信号４２の他に、ブランチＡの配線３８に流れるフィードバック信号４０によって干渉信号４３が発生する。ここで、例えば図３（ｂ）に示すように、ブランチＢの配線３８において、フィードバック信号４２の電力をＰb、干渉信号４３の電力をＰia、ブランチＢの配線３８に存在するノイズフロアの電力をＰnと定義する。また、例えば図３（ｂ）に示すように、干渉信号４３の電力ＰiaとノイズフロアＰnとの電力差をΔＰiaと定義する。
【００２６】
ブランチＡの配線３８には、例えば図３（ａ）に示すように、フィードバック信号４０の他に、干渉信号４１が流れる。そして、配線３８を流れるフィードバック信号４０および干渉信号４１は、ダウンコンバータ３３、配線３９、およびＡＤＣ１２を介して歪補償部２０に入力される。ここで、歪補償部２０の更新部２４は、フィードバック信号４０に基づいてＬＵＴ２３内の歪補償係数を更新することができれば、ＬＵＴ２３内の歪補償係数を更新することにより、アナログ送信部３０内のＰＡ３４の歪みを精度よく補償することができる。しかし、アナログ送信部３０から出力される信号には、フィードバック信号４０の他に、干渉信号４１が含まれる。そのため、フィードバック信号４０および干渉信号４１を含む信号に基づいてＬＵＴ２３内の歪補償係数が更新された場合、アナログ送信部３０内のＰＡ３４の歪みを精度よく補償することが困難となる。この状況は、ブランチＢについても同様である。
【００２７】
ここで、各ブランチにおいて、減衰器３６に設定される減衰量と、ゲイン調整部２５に設定されるゲインの調整値との関係について、図４を用いて説明する。図４は、フィードバック経路に流れる信号の周波数スペクトラムの一例を示す図である。図４（ａ）は、ブランチＡの配線３８に流れる信号の周波数スペクトラムの一例を示し、図４（ｂ）は、ブランチＢの配線３８に流れる信号の周波数スペクトラムの一例を示している。
【００２８】
ブランチＡの減衰器３６は、例えば図４（ａ）に示すように、カプラ３５から出力されたフィードバック信号４０を、所定の減衰量で減衰させる。本実施例において、ブランチＡの減衰器３６は、例えば図４（ｂ）に示すように、干渉信号４３の電力ＰiaとノイズフロアＰnとの電力差ΔＰiaに相当する減衰量でフィードバック信号４０を減衰させる。これにより、例えば図４（ｂ）に示すように、ブランチＡの配線３８に流れるフィードバック信号４０によってブランチＢの配線３８に発生した干渉信号４３の電力は、ΔＰia分減少する。これにより、ブランチＢの配線３８に発生した干渉信号４３の電力は、ノイズフロアＰn以下の電力となる。これにより、ブランチＡの減衰器３６は、ブランチＢの配線３８に発生する干渉信号４３の電力を減少させることができ、ブランチＢの歪補償精度の低下を抑制することができる。
【００２９】
同様に、ブランチＢの減衰器３６は、例えば図４（ｂ）に示すように、カプラ３５から出力されたフィードバック信号４２を、所定の減衰量で減衰させる。本実施例において、ブランチＢの減衰器３６は、例えば図４（ａ）に示すように、干渉信号４１の電力ＰibとノイズフロアＰnとの電力差ΔＰibに相当する減衰量でフィードバック信号４２を減衰させる。これにより、例えば図４（ａ）に示すように、ブランチＢの配線３８に流れるフィードバック信号４２によってブランチＡの配線３８に発生した干渉信号４１の電力は、ΔＰib分減少する。これにより、ブランチＡの配線３８に発生した干渉信号４１の電力は、ノイズフロアＰn以下の電力となる。これにより、ブランチＢの減衰器３６は、ブランチＡの配線３８に発生する干渉信号４１の電力を減少させることができ、ブランチＡの歪補償精度の低下を抑制することができる。
【００３０】
なお、各ブランチの減衰器３６は、フィードバック信号の減衰量を大きくすれば、他のブランチの配線３８に発生する干渉信号の電力を減少させることができ、他のブランチの歪補償精度をより向上させることができる。しかし、フィードバック信号の減衰量が大きくなり過ぎると、フィードバック信号の電力が低くなり過ぎ、当該フィードバック信号を用いて行われる歪補償精度が低下する場合がある。そのため、各ブランチの減衰器３６の減衰量は、当該ブランチのフィードバック信号によって他のブランチの配線３８に発生する干渉信号の電力とノイズフロアＰnとの電力差に相当する減衰量であることが好ましい。
【００３１】
このように、本実施例の基地局１０では、各ブランチにおいて、カプラ３５から出力されたフィードバック信号を減衰器３６によって減衰させる。これにより、各ブランチにおいて、配線３８および配線３９に流れるフィードバック信号の電力が減少し、他のブランチの配線３８および配線３９に発生する干渉信号の電力も減少する。これにより、各ブランチにおいて、歪補償部２０にフィードバックされる信号に含まれる干渉信号の電力が減少する。そして、各ブランチの更新部２４は、干渉信号が減少した信号に基づいて、ＬＵＴ２３内の歪補償係数を更新する。これにより、歪補償部２０は、ＰＡ３４の歪みを精度よく補償することができる。
【００３２】
また、各ブランチ内のゲイン調整部２５は、減衰器３６によって減衰した電力と略等しい電力分、歪補償部２０にフィードバックされた信号の電力を増幅させる。これにより、各ブランチにおいて、カプラ３５から出力されたフィードバック信号の電力と、更新部２４に入力されるフィードバック信号の電力とが略等しくなる。これにより、更新部２４に入力されるフィードバック信号の電力のずれが少なくなり、歪補償部２０は、アナログ送信部３０内のＰＡ３４の歪みを精度よく補償することができる。
【００３３】
また、本実施例において、制御部１５は、各ブランチにおいて、送信電力に基づいて減衰および調整値を決定する。そのため、制御部１５は、各ブランチのフィードバック経路に発生する干渉信号の電力を所定の電力（例えば、ノイズフロアの電力）以下に保つことができる。これにより、制御部１５は、基地局１０の歪補償精度の低下を抑えることができる。
【００３４】
［更新処理のタイミング］
図５は、実施例１における更新処理のタイミングの一例を示すタイミングチャートである。ブランチＡの送信電力が、例えば図５（ａ）に示すように変化した場合、制御部１５は、記憶部１６内の減衰量テーブル１６０を参照して、ブランチＡの送信電力に対応する減衰量および調整値を取得する。そして、制御部１５は、取得した減衰量を、ブランチＡの減衰器３６に設定する。これにより、ブランチＡの減衰器３６に設定される減衰量は、例えば図５（ｂ）に示すように変化する。
【００３５】
そして、制御部１５は、ブランチＡのＬＵＴ２３の更新タイミングになった場合、取得したゲインの調整値を、ブランチＡのゲイン調整部２５に設定する。これにより、ブランチＡのゲイン調整部２５の動作状態は、例えば図５（ｃ）に示すように変化する。図５（ｃ）において、Ｈｉｇｈ状態は、制御部１５によって設定されたゲインの調整値に従って、ブランチＡのゲイン調整部２５がフィードバック信号を増幅させている状態を示している。また、図５（ｃ）において、Ｌｏｗ状態は、ブランチＡのゲイン調整部２５がフィードバック信号の増幅を停止させている状態を示している。
【００３６】
そして、ブランチＡの更新部２４は、ゲイン調整部２５がフィードバック信号の増幅を行っている間に、送信信号と、ゲイン調整部２５が増幅したフィードバック信号とに基づいて、例えば図５（ｄ）に示すタイミングで、ＬＵＴ２３内の歪補償係数を更新する。図５（ｄ）において、Ｈｉｇｈ状態は、ブランチＡの更新部２４がＬＵＴ２３内の歪補償係数を更新している状態を示している。また、図５（ｄ）において、Ｌｏｗ状態は、ブランチＡの更新部２４がＬＵＴ２３内の歪補償係数の更新を停止している状態、即ち、ＬＵＴ２３内の歪補償係数が保持されている状態を示している。
【００３７】
ブランチＢについても同様に、ブランチＢの送信電力が、例えば図５（ｅ）に示すように変化した場合、制御部１５は、記憶部１６内の減衰量テーブル１６０を参照して、ブランチＢの送信電力に対応する減衰量および調整値を取得する。そして、制御部１５は、取得した減衰量を、ブランチＢの減衰器３６に設定する。これにより、ブランチＢの減衰器３６に設定される減衰量は、例えば図５（ｆ）に示すように変化する。
【００３８】
そして、制御部１５は、ブランチＢのＬＵＴ２３の更新タイミングになった場合、取得したゲインの調整値を、ブランチＢのゲイン調整部２５に設定する。これにより、ブランチＢのゲイン調整部２５の動作状態は、例えば図５（ｇ）に示すように変化する。図５（ｇ）において、Ｈｉｇｈ状態は、制御部１５によって設定されたゲインの調整値に従って、ブランチＢのゲイン調整部２５がフィードバック信号を増幅させている状態を示している。また、図５（ｇ）において、Ｌｏｗ状態は、ブランチＢのゲイン調整部２５がフィードバック信号の増幅を停止させている状態を示している。
【００３９】
そして、ブランチＢの更新部２４は、ゲイン調整部２５がフィードバック信号の増幅を行っている間に、送信信号と、ゲイン調整部２５が増幅したフィードバック信号とに基づいて、例えば図５（ｈ）に示すタイミングで、ＬＵＴ２３内の歪補償係数を更新する。図５（ｈ）において、Ｈｉｇｈ状態は、ブランチＢの更新部２４がＬＵＴ２３内の歪補償係数を更新している状態を示している。また、図５（ｈ）において、Ｌｏｗ状態は、ブランチＢの更新部２４がＬＵＴ２３内の歪補償係数の更新を停止している状態、即ち、ＬＵＴ２３内の歪補償係数が保持されている状態を示している。
【００４０】
本実施例において、ゲイン調整部２５は、例えば図５（ｃ）および（ｇ）に示すように、ＬＵＴ２３の更新タイミングになった場合に、更新部２４がＬＵＴ２３の更新を開始する前に、フィードバック信号の増幅を開始する。そして、ゲイン調整部２５は、更新部２４によるＬＵＴ２３の更新が終了した場合に、フィードバック信号の増幅を停止する。しかし、開示の技術はこれに限られず、例えば各ブランチで送信信号が送信されている間、ゲイン調整部２５は、制御部１５から指示された調整値に応じてフィードバック信号の増幅を継続してもよい。ただし、更新部２４がＬＵＴ２３の更新を行う場合にのみ、ゲイン調整部２５がフィードバック信号を増幅する方が、歪補償部２０の消費電力の削減という観点では好ましい。
【００４１】
また、図５に示した例では、ブランチＡのＬＵＴ２３の更新タイミングと、ブランチＢのＬＵＴ２３の更新タイミングとが異なるタイミングとなっているが、これらのタイミングは必ずしも異なるタイミングでなくてもよい。
【００４２】
［減衰量テーブル作成処理］
図６は、減衰量テーブル作成処理の一例を示すフローチャートである。図６に示すフローチャートは、例えば歪補償部２０の工場出荷時等の所定のタイミングで実行される。
【００４３】
まず、制御部１５は、各ブランチ内のＰＡ３４に電源を投入し、各ＰＡ３４を稼働させる（Ｓ１００）。そして、ゲイン調整部２５は、予め定められた複数の送信電力の値の中から、送信電力の値を１つ選択する（Ｓ１０１）。そして、制御部１５は、ブランチＡにおいて信号を送信させる（Ｓ１０２）。この時、ブランチＢでは信号は送信されていない。
【００４４】
次に、制御部１５は、ブランチＢのフィードバック経路に発生した干渉信号の電力（例えば、図３（ｂ）に示した電力Ｐia）を測定する（Ｓ１０３）。そして、制御部１５は、測定された干渉信号の電力とノイズフロアとの電力差（例えば、図３（ｂ）に示したΔＰia）に相当する減衰量を、ブランチＡの減衰器３６に設定される減衰量として決定する（Ｓ１０４）。
【００４５】
次に、制御部１５は、決定された減衰量によって減衰された分の電力を元に戻すためのゲインを、ブランチＡのゲインの調整値として決定する（Ｓ１０５）。そして、制御部１５は、ブランチＡについて決定された減衰量および調整値を、ステップＳ１０１において選択された送信電力の値に対応付けて保持する。
【００４６】
次に、制御部１５は、ブランチＡからの信号の送信を停止し、ブランチＢにおいて信号を送信させる（Ｓ１０６）。そして、制御部１５は、ブランチＡのフィードバック経路に発生した干渉信号の電力（例えば、図３（ａ）に示した電力Ｐib）を測定する（Ｓ１０７）。そして、制御部１５は、測定された干渉信号の電力とノイズフロアとの電力差（例えば、図３（ａ）に示したΔＰib）に相当する減衰量を、ブランチＢの減衰器３６に設定される減衰量として決定する（Ｓ１０８）。
【００４７】
次に、制御部１５は、決定された減衰量によって減衰された分の電力を元に戻すためのゲインを、ブランチＢのゲインの調整値として決定する（Ｓ１０９）。そして、制御部１５は、ブランチＢについて決定された減衰量および調整値を、ステップＳ１０１において選択された送信電力の値に対応付けて保持する。
【００４８】
次に、制御部１５は、複数の送信電力の値を全て選択したか否かを判定する（Ｓ１１０）。複数の送信電力の値の中に、未選択の値がある場合（Ｓ１１０：Ｎｏ）、制御部１５は、再びステップＳ１０１に示した処理を実行する。一方、複数の送信電力の値が全て選択された場合（Ｓ１１０：Ｙｅｓ）、制御部１５は、ブランチ毎に各送信電力について決定された減衰量および調整値を用いて、例えば図２で説明した減衰量テーブル１６０を作成する（Ｓ１１１）。そして、制御部１５は、作成された減衰量テーブル１６０を記憶部１６内に格納し、本フローチャートに示した減衰量テーブル作成処理を終了する。
【００４９】
［更新処理］
図７は、実施例１における更新処理の一例を示すフローチャートである。例えば、ブランチＡおよびブランチＢにおいて送信信号の送信が開始された場合に、基地局１０は、例えば図７のフローチャートに示す更新処理を開始する。
【００５０】
まず、制御部１５は、ブランチＡの送信電力が変更されたか否かを判定する（Ｓ２００）。ブランチＡの送信電力が変更された場合（Ｓ２００：Ｙｅｓ）、制御部１５は、記憶部１６内の減衰量テーブル１６０を参照し、ブランチＡの現在の送信電力に対応する減衰量を取得する。そして、制御部１５は、取得された減衰量をブランチＡの減衰器３６に設定することにより、ブランチＡの減衰器３６の減衰量を変更する（Ｓ２０１）。そして、制御部１５は、再びステップＳ２００に示した処理を実行する。
【００５１】
ブランチＡの送信電力が変更されていない場合（Ｓ２００：Ｎｏ）、制御部１５は、ブランチＢの送信電力が変更されたか否かを判定する（Ｓ２０２）。ブランチＢの送信電力が変更された場合（Ｓ２０２：Ｙｅｓ）、制御部１５は、記憶部１６内の減衰量テーブル１６０を参照し、ブランチＢの現在の送信電力に対応する減衰量を取得する。そして、制御部１５は、取得された減衰量をブランチＢの減衰器３６に設定することにより、ブランチＢの減衰器３６の減衰量を変更する（Ｓ２０３）。そして、制御部１５は、再びステップＳ２００に示した処理を実行する。
【００５２】
ブランチＢの送信電力が変更されていない場合（Ｓ２０２：Ｎｏ）、制御部１５は、ブランチＡのＬＵＴ２３の更新タイミングであるか否かを判定する（Ｓ２０４）。ブランチＡのＬＵＴ２３の更新タイミングである場合（Ｓ２０４：Ｙｅｓ）、制御部１５は、記憶部１６内の減衰量テーブル１６０を参照し、ブランチＡの現在の送信電力に対応するゲインの調整値を取得する（Ｓ２０５）。そして、制御部１５は、取得したゲインの調整値を、ブランチＡのゲイン調整部２５に設定する。
【００５３】
ブランチＡのゲイン調整部２５は、設定されたゲインの調整値に応じて、ＡＤＣ１２を介してブランチＡのアナログ送信部３０から出力されたフィードバック信号を増幅する（Ｓ２０６）。そして、ブランチＡの更新部２４は、送信信号と、ゲイン調整部２５によって増幅されたフィードバック信号とに基づいて、ＬＵＴ２３内の歪補償係数を更新する（Ｓ２０７）。そして、制御部１５は、再びステップＳ２００に示した処理を実行する。
【００５４】
ブランチＡのＬＵＴ２３の更新タイミングではない場合（Ｓ２０４：Ｎｏ）、制御部１５は、ブランチＢのＬＵＴ２３の更新タイミングであるか否かを判定する（Ｓ２０８）。ブランチＢのＬＵＴ２３の更新タイミングではない場合（Ｓ２０８：Ｎｏ）、制御部１５は、再びステップＳ２００に示した処理を実行する。
【００５５】
ブランチＢのＬＵＴ２３の更新タイミングである場合（Ｓ２０８：Ｙｅｓ）、制御部１５は、記憶部１６内の減衰量テーブル１６０を参照し、ブランチＢの現在の送信電力に対応するゲインの調整値を取得する（Ｓ２０９）。そして、制御部１５は、取得したゲインの調整値を、ブランチＢのゲイン調整部２５に設定する。
【００５６】
ブランチＢのゲイン調整部２５は、設定されたゲインの調整値に応じて、ＡＤＣ１２を介してブランチＢのアナログ送信部３０から出力されたフィードバック信号を増幅する（Ｓ２１０）。そして、ブランチＢの更新部２４は、送信信号と、ゲイン調整部２５によって増幅されたフィードバック信号とに基づいて、ＬＵＴ２３内の歪補償係数を更新する（Ｓ２１１）。そして、制御部１５は、再びステップＳ２００に示した処理を実行する。
【００５７】
［実施例１の効果］
上記説明から明らかなように、本実施例の基地局１０は、歪補償を行った送信信号を送信する複数の送信部５０を有する。送信部５０は、ＰＡ３４と、フィードバック経路と、歪補償部２０とを有する。ＰＡ３４は、送信信号を増幅して出力する。フィードバック経路は、ＰＡ３４の出力を減衰してフィードバックする。歪補償部２０は、フィードバック経路を介してフィードバックされた信号に基づいて算出された歪補償係数に基づいて歪補償を行う。このように、本実施例の基地局１０は、各送信部５０のフィードバック経路に流れる信号を減衰器３６によって減衰させる。これにより、各送信部５０内のフィードバック経路に流れる信号の電力が減少し、他の送信部５０内のフィードバック経路に発生する干渉信号の電力も減少する。これにより、各送信部５０において、歪補償部２０にフィードバックされる信号に含まれる干渉信号の電力が減少する。そして、各送信部５０の歪補償部２０は、干渉信号が減少した信号に基づいて歪補償を行う。これにより、基地局１０は、各送信部５０内のＰＡ３４の歪みを精度よく補償することができる。
【００５８】
また、本実施例の基地局１０は、フィードバック経路を介してフィードバックされた信号に基づいて歪補償係数を更新する更新部２４をさらに有する。これにより、ＬＵＴ２３内の歪補償係数を精度よく更新することができる。従って、基地局１０は、各送信部５０内のＰＡ３４の歪みを精度よく補償することができる。
【００５９】
また、本実施例の基地局１０は、フィードバック経路を介してフィードバックされた信号の電力を、フィードバック経路によって減衰された減衰量に応じて増幅させるゲイン調整部２５を有する。歪補償部２０は、ゲイン調整部２５によって増幅された信号に基づく歪補償係数を用いて歪補償を行う。これにより、各送信部５０において、カプラ３５から出力されたフィードバック信号の電力と、歪補償部２０の更新部２４に入力されるフィードバック信号の電力とが略等しくなる。これにより、更新部２４に入力されるフィードバック信号の電力のずれが少なくなり、歪補償部２０は、各送信部５０内のＰＡ３４の歪みを精度よく補償することができる。
【００６０】
また、本実施例の基地局１０において、フィードバック経路には、信号の電力を減衰する減衰器３６が含まれ、減衰器３６は、フィードバック経路に流れる信号の電力を、当該信号によって、他のフィードバック経路に発生する干渉信号の電力が所定の電力以下となるように減衰させる。所定の電力とは、例えばフィードバック経路内に存在するノイズフロアの電力である。これにより、基地局１０は、歪補償精度の低下を抑制することができる。
【００６１】
また、本実施例の基地局１０において、フィードバック経路には、信号の電力を減衰する減衰器３６が含まれ、減衰器３６は、ＰＡ３４に入力される送信信号の電力に応じて、フィードバック経路に流れる信号の電力の減衰量を変更する。これにより、それぞれの減衰器３６は、当該減衰器３６が設けられたフィードバック経路に流れる信号によって、他のフィードバック経路に発生する干渉信号の電力を確実に所定電力以下に減少させることができる。これにより、基地局１０は、歪補償精度の低下を抑制することができる。
【実施例２】
【００６２】
図８は、実施例２における基地局１０の一例を示すブロック図である。本実施例における基地局１０は、ＡＤＣ１２、制御部１５、記憶部１６、ＳＷ１８、ＳＷ１９、更新部２４、ゲイン調整部２５、および複数の送信部５０−１〜５０−２を有する。なお、以下に説明する点を除き、図８において、図１と同一の符号を付したブロックは、図１に示したブロックと同一または同様の機能を有するため、説明を省略する。本実施例における基地局１０では、ＡＤＣ１２、更新部２４、およびゲイン調整部２５が、複数の送信部５０について共通に１つ設けられている点が、実施例１における基地局１０とは異なる。
【００６３】
各送信部５０において、ダウンコンバータ３３によってダウンコンバート等の処理が施されたフィードバック信号は、配線３９を介してＳＷ１９に入力される。ＳＷ１９は、制御部１５からの制御信号に応じて、送信部５０−１から出力されたフィードバック信号および送信部５０−２から出力されたフィードバック信号のうち、いずれか一方のフィードバック信号を選択する。そして、ＳＷ１９は、選択したフィードバック信号をＡＤＣ１２へ出力する。ＳＷ１９は、選択部の一例である。ＡＤＣ１２は、ＳＷ１９から出力されたフィードバック信号をアナログ信号からデジタル信号に変換し、変換後のフィードバック信号をゲイン調整部２５へ出力する。ゲイン調整部２５は、制御部１５から指示されたゲインの調整量に応じて、ＡＤＣ１２から出力されたフィードバック信号の電力を増幅させる。
【００６４】
ＳＷ１８は、制御部１５からの制御信号に応じて、送信部５０−１に入力される送信信号および送信部５０−２に入力される送信信号のうち、いずれか一方の送信信号を選択する。そして、ＳＷ１８は、選択した送信信号を更新部２４へ出力する。更新部２４は、ＳＷ１８から出力された送信信号と、ゲイン調整部２５によって増幅されたフィードバック信号とに基づいて、歪補償係数を算出する。そして、更新部２４は、算出した歪補償係数で、ＬＵＴ２３内の歪補償係数を更新する。
【００６５】
このように、本実施例における基地局１０には、複数の送信部５０について、ＡＤＣ１２、更新部２４、およびゲイン調整部２５が共通に１つ設けられている。これにより、基地局１０の回路規模を削減することができる。
【００６６】
［更新処理のタイミング］
図９は、実施例２における更新処理のタイミングの一例を示すタイミングチャートである。ブランチＡの送信電力が、例えば図９（ａ）に示すように変化した場合、制御部１５は、記憶部１６内の減衰量テーブル１６０を参照して、ブランチＡの送信電力に対応する減衰量および調整値を取得する。そして、制御部１５は、取得した減衰量を、ブランチＡの減衰器３６に設定する。これにより、ブランチＡの減衰器３６に設定される減衰量は、例えば図９（ｂ）に示すように変化する。
【００６７】
一方、ブランチＢの送信電力が、例えば図９（ｃ）に示すように変化した場合、制御部１５は、記憶部１６内の減衰量テーブル１６０を参照して、ブランチＢの送信電力に対応する減衰量および調整値を取得する。そして、制御部１５は、取得した減衰量を、ブランチＢの減衰器３６に設定する。これにより、ブランチＢの減衰器３６に設定される減衰量は、例えば図９（ｄ）に示すように変化する。
【００６８】
制御部１５は、例えば図９（ｅ）に示すように、ブランチＡのＬＵＴ２３の更新タイミングでブランチＡが選択され、ブランチＢのＬＵＴ２３の更新タイミングでブランチＢが選択されるように、ＳＷ１８およびＳＷ１９を制御する。図９（ｅ）において、Ｈｉｇｈ状態は、ＳＷ１８およびＳＷ１９によってブランチＡが選択されている状態を示しており、Ｌｏｗ状態は、ＳＷ１８およびＳＷ１９によってブランチＢが選択されている状態を示している。
【００６９】
また、制御部１５は、ブランチＡのＬＵＴ２３の更新タイミングになった場合に、取得したゲインの調整値を、ブランチＡのゲイン調整部２５に設定する。一方、制御部１５は、ブランチＢのＬＵＴ２３の更新タイミングになった場合に、取得したゲインの調整値を、ブランチＢのゲイン調整部２５に設定する。これにより、ゲイン調整部２５の動作状態は、例えば図９（ｆ）に示すように変化する。図９（ｆ）において、Ｈｉｇｈ状態は、制御部１５によって設定されたゲインの調整値に従って、ブランチＡまたはブランチＢのゲイン調整部２５がフィードバック信号を増幅させている状態を示している。また、図９（ｆ）において、Ｌｏｗ状態は、いずれのブランチのゲイン調整部２５もフィードバック信号の増幅を停止している状態を示している。ゲイン調整部２５は、例えば図９（ｆ）に示すように、ＳＷ１８およびＳＷ１９がブランチＡを選択している間に、ブランチＡのフィードバック信号を増幅し、ＳＷ１８およびＳＷ１９がブランチＢを選択している間に、ブランチＢのフィードバック信号を増幅する。
【００７０】
そして、更新部２４は、ＳＷ１８およびＳＷ１９がブランチＡを選択している間に、ＳＷ１８が選択した送信信号と、ゲイン調整部２５が増幅したフィードバック信号とに基づいて、ブランチＡのＬＵＴ２３内の歪補償係数を更新する。これにより、ブランチＡのＬＵＴ２３内の歪補償係数は、例えば図９（ｇ）に示すタイミングで更新される。また、更新部２４は、ＳＷ１８およびＳＷ１９がブランチＡを選択している間に、ＳＷ１８が選択した送信信号と、ゲイン調整部２５が増幅したフィードバック信号とに基づいて、ブランチＢのＬＵＴ２３内の歪補償係数を更新する。これにより、ブランチＢのＬＵＴ２３内の歪補償係数は、例えば図９（ｈ）に示すタイミングで更新される。図９（ｇ）および図９（ｈ）において、Ｈｉｇｈ状態は、更新部２４がＬＵＴ２３内の歪補償係数を更新している状態を示している。また、図９（ｇ）および図９（ｈ）において、Ｌｏｗ状態は、更新部２４がＬＵＴ２３内の歪補償係数の更新を停止している状態、即ち、ＬＵＴ２３内の歪補償係数が保持されている状態を示している。
【００７１】
［更新処理］
図１０は、実施例２における更新処理の一例を示すフローチャートである。なお、以下に説明する点を除き、図１０において、図７と同一の符号を付した処理は、図７で説明した処理と同様であるため、説明を省略する。
【００７２】
ブランチＡのＬＵＴ２３の更新タイミングである場合（Ｓ２０４：Ｙｅｓ）、制御部１５は、ブランチＡを選択するようにＳＷ１８およびＳＷ１９を制御する（Ｓ２２０）。そして、制御部１５は、ステップＳ２０５に示した処理を実行する。
【００７３】
また、ブランチＢのＬＵＴ２３の更新タイミングである場合（Ｓ２０８：Ｙｅｓ）、制御部１５は、ブランチＢを選択するようにＳＷ１８およびＳＷ１９を制御する（Ｓ２２１）。そして、制御部１５は、ステップＳ２０９に示した処理を実行する。
【００７４】
［実施例２の効果］
上記説明から明らかなように、本実施例の基地局１０は、ＳＷ１９とゲイン調整部２５とを有する。ＳＷ１９は、それぞれの送信部５０が有するフィードバック経路のいずれかを選択する。ゲイン調整部２５は、ＳＷ１９によって選択されたフィードバック経路を介してフィードバックされた信号の電力を、フィードバック経路によって減衰された減衰量に応じて増幅させる。また、更新部２４は、ゲイン調整部２５によって増幅された信号に基づいて、対応する送信部５０の歪補償係数を算出する。これにより、基地局１０は、各送信部５０内のＰＡ３４の歪みを精度よく補償することができる。また、基地局１０は、基地局１０の回路規模を削減することができる。
【００７５】
なお、実施例２において、ゲイン調整部２５は、例えば図９（ｆ）に示すように、各ブランチのＬＵＴ２３の更新タイミングになった場合に、更新部２４がＬＵＴ２３の更新を開始する前に、フィードバック信号の増幅を開始する。そして、ゲイン調整部２５は、更新部２４によるＬＵＴ２３の更新が終了した場合に、フィードバック信号の増幅を停止する。しかし、開示の技術はこれに限られず、ＳＷ１８およびＳＷ１９によって選択されているブランチが切り替わるタイミングで、ゲイン調整部２５は、ＳＷ１８およびＳＷ１９によって選択されているブランチのフィードバック信号の増幅を開始してもよい。ただし、更新部２４がＬＵＴ２３の更新を行う場合にのみ、ゲイン調整部２５がフィードバック信号を増幅する方が、基地局１０の消費電力の削減という観点では好ましい。
【実施例３】
【００７６】
図１１は、実施例３における基地局１０の一例を示すブロック図である。本実施例における基地局１０は、制御部１５および複数の送信部５０−１〜５０−２を有する。本実施例における制御部１５は、設定部の一例である。なお、以下に説明する点を除き、図１１において、図１と同一の符号を付したブロックは、図１に示したブロックと同一または同様の機能を有するため、説明を省略する。本実施例における基地局１０では、１つのブランチのＬＵＴ２３を更新する場合、当該１つのブランチの減衰器３６に第１の減衰量を設定し、他のブランチの減衰器３６に、第２の減衰量を設定する点が、実施例１における基地局１０とは異なる。第２の減衰量は、第１の減衰量よりも減衰量が大きい。
【００７７】
具体的には、制御部１５は、ブランチＡのＬＵＴ２３の更新タイミングにおいて、ブランチＡの減衰器３６に第１の減衰量を設定する。第１の減衰量は、例えば０である。また、制御部１５は、ブランチＡのＬＵＴ２３の更新タイミングにおいて、ブランチＡ以外のブランチ（本実施例ではブランチＢ）の減衰器３６に第２の減衰量を設定する。これにより、ブランチＡのフィードバック経路（例えばブランチＡの配線３８）に流れる信号の周波数スペクトラムは、例えば図１２（ａ）のようになる。
【００７８】
本実施例において、ブランチＢの減衰器３６に設定される第２の減衰量は、例えば図１２（ａ）に示すように、ブランチＢで送信される送信信号の任意の電力において、ブランチＡのフィードバック経路に発生する干渉信号４１の電力を、ノイズフロアの電力Ｐn以下に減少させる減衰量ΔＰである。
【００７９】
また、制御部１５は、ブランチＢのＬＵＴ２３の更新タイミングにおいて、ブランチＢの減衰器３６に第１の減衰量を設定する。また、制御部１５は、ブランチＢのＬＵＴ２３の更新タイミングにおいて、ブランチＢ以外のブランチ（本実施例ではブランチＡ）の減衰器３６に第２の減衰量を設定する。これにより、ブランチＢのフィードバック経路に流れる信号の周波数スペクトラムは、例えば図１２（ｂ）のようになる。
【００８０】
本実施例において、ブランチＡの減衰器３６に設定される第２の減衰量は、例えば図１２（ｂ）に示すように、ブランチＡで送信される送信信号の任意の電力において、ブランチＢのフィードバック経路に発生する干渉信号４３の電力を、ノイズフロアの電力Ｐn以下に減少させる減衰量ΔＰである。
【００８１】
第２の減衰量は、例えば数十ｄＢ以上の減衰量であってもよい。なお、各ブランチの減衰器３６は、カプラ３５の出力と配線３８とを導通させるか、カプラ３５の出力と配線３８との導通を遮断させるかを切り替えるスイッチであってもよい。このようなスイッチを用いても、各ブランチのフィードバック経路に流れるフィードバック信号の減衰量を、第１の減衰量と第２の減衰量との間で切り替えることができる。
【００８２】
このように、本実施例における基地局１０は、１つのブランチのＬＵＴ２３を更新する場合に、当該１つのブランチの減衰器３６に第１の減衰量を設定し、他のブランチの減衰器３６に、第１の減衰量よりも減衰量が大きい第２の減衰量を設定する。これにより、更新対象となるＬＵＴ２３を有するブランチのフィードバック経路において、他のブランチのフィードバック経路からの干渉信号の電力を低減することができる。これにより、基地局１０は、各送信部５０内のＰＡ３４の歪みを補償する歪補償係数を精度よく算出することができる。これにより、基地局１０は、各送信部５０内のＰＡ３４の歪みを精度よく補償することができる。
【００８３】
［更新処理のタイミング］
図１３は、実施例３における更新処理のタイミングの一例を示すタイミングチャートである。制御部１５は、例えば図１３（ａ）に示すように、ブランチＡのＬＵＴ２３の更新タイミングにおいて、ブランチＡの減衰器３６に第１の減衰量を設定する。また、制御部１５は、ブランチＡのＬＵＴ２３の更新タイミング以外の期間において、ブランチＡの減衰器３６に第２の減衰量を設定する。図１３（ａ）において、Ｈｉｇｈ状態は、第２の減衰量が設定されている状態を示し、Ｌｏｗ状態は、第１の減衰量が設定されている状態を示している。
【００８４】
そして、ブランチＡの更新部２４は、例えば図１３（ｂ）に示すように、ブランチＡのＬＵＴ２３の更新タイミングにおいて、ブランチＡに入力される送信信号と、ブランチＡのフィードバック信号とに基づいて、ブランチＡのＬＵＴ２３内の歪補償係数を更新する。図１３（ｂ）において、Ｈｉｇｈ状態は、更新部２４がＬＵＴ２３内の歪補償係数を更新している状態を示している。また、図１３（ｂ）において、Ｌｏｗ状態は、更新部２４がＬＵＴ２３内の歪補償係数の更新を停止している状態、即ち、ＬＵＴ２３内の歪補償係数が保持されている状態を示している。
【００８５】
また、制御部１５は、例えば図１３（ｃ）に示すように、ブランチＢのＬＵＴ２３の更新タイミングにおいて、ブランチＢの減衰器３６に第１の減衰量を設定する。また、制御部１５は、ブランチＢのＬＵＴ２３の更新タイミング以外の期間において、ブランチＡの減衰器３６に第２の減衰量を設定する。図１３（ｃ）において、Ｈｉｇｈ状態は、第２の減衰量が設定されている状態を示し、Ｌｏｗ状態は、第１の減衰量が設定されている状態を示している。
【００８６】
そして、ブランチＢの更新部２４は、例えば図１３（ｄ）に示すように、ブランチＢのＬＵＴ２３の更新タイミングにおいて、ブランチＢに入力される送信信号と、ブランチＢのフィードバック信号とに基づいて、ブランチＢのＬＵＴ２３内の歪補償係数を更新する。図１３（ｄ）において、Ｈｉｇｈ状態は、更新部２４がＬＵＴ２３内の歪補償係数を更新している状態を示している。また、図１３（ｄ）において、Ｌｏｗ状態は、更新部２４がＬＵＴ２３内の歪補償係数の更新を停止している状態、即ち、ＬＵＴ２３内の歪補償係数が保持されている状態を示している。
【００８７】
［更新処理］
図１４は、実施例３における更新処理の一例を示すフローチャートである。例えば、ブランチＡおよびブランチＢにおいて送信信号の送信が開始された場合に、基地局１０は、例えば図１４のフローチャートに示す更新処理を開始する。
【００８８】
まず、制御部１５は、ブランチＡのＬＵＴ２３の更新タイミングであるか否かを判定する（Ｓ３００）。ブランチＡのＬＵＴ２３の更新タイミングである場合（Ｓ３００：Ｙｅｓ）、制御部１５は、ブランチＡの減衰器３６に第１の減衰量を設定する（Ｓ３０１）。そして、制御部１５は、ブランチＢの減衰器３６に第２の減衰量を設定する（Ｓ３０２）。そして、更新部２４は、ブランチＡに入力される送信信号と、ブランチＡのフィードバック信号とに基づいて、ＬＵＴ２３内の歪補償係数を更新する（Ｓ３０３）。そして、制御部１５は、ステップＳ３００に示した処理を実行する。
【００８９】
ブランチＡのＬＵＴ２３の更新タイミングではない場合（Ｓ３００：Ｎｏ）、制御部１５は、ブランチＢのＬＵＴ２３の更新タイミングであるか否かを判定する（Ｓ３０４）。ブランチＢのＬＵＴ２３の更新タイミングではない場合（Ｓ３０４：Ｎｏ）、制御部１５は、ステップＳ３００に示した処理を実行する。
【００９０】
ブランチＢのＬＵＴ２３の更新タイミングである場合（Ｓ３０４：Ｙｅｓ）、制御部１５は、ブランチＢの減衰器３６に第１の減衰量を設定する（Ｓ３０５）。そして、制御部１５は、ブランチＡの減衰器３６に第２の減衰量を設定する（Ｓ３０６）。そして、更新部２４は、ブランチＢに入力される送信信号と、ブランチＢのフィードバック信号とに基づいて、ＬＵＴ２３内の歪補償係数を更新する（Ｓ３０７）。そして、制御部１５は、ステップＳ３００に示した処理を実行する。
【００９１】
［実施例３の効果］
上記説明から明らかなように、本実施例の基地局１０は、複数の送信部５０の各々が有するフィードバック経路に含まれる、信号の電力を減衰する減衰器３６を順次１つずつ選択し、選択された減衰器３６に第１の減衰量を設定し、選択された減衰器３６以外の減衰器３６に、第２の減衰量を設定する制御部１５をさらに有する。更新部２４は、制御部１５によって第１の減衰量が設定された減衰器３６が設けられたフィードバック経路を介してフィードバックされた信号に基づいて歪補償係数を算出する。これにより、基地局１０は、送信部５０内のＰＡ３４の歪みを補償する歪補償係数を精度よく算出することができる。これにより、基地局１０は、各送信部５０内のＰＡ３４の歪みを精度よく補償することができる。
【実施例４】
【００９２】
図１５は、実施例４における基地局１０の一例を示すブロック図である。本実施例における基地局１０は、ＡＤＣ１２、制御部１５、ＳＷ１８、ＳＷ１９、更新部２４、および複数の送信部５０−１〜５０−２を有する。なお、以下に説明する点を除き、図１５において、図１１と同一の符号を付したブロックは、図１１に示したブロックと同一または同様の機能を有するため、説明を省略する。本実施例における基地局１０では、ＡＤＣ１２および更新部２４が、複数の送信部５０について共通に１つ設けられている点が、実施例３における基地局１０とは異なる。
【００９３】
各送信部５０において、ダウンコンバータ３３によってダウンコンバート等の処理が施されたフィードバック信号は、配線３９を介してＳＷ１９に入力される。ＳＷ１９は、制御部１５からの制御信号に応じて、送信部５０−１から出力されたフィードバック信号および送信部５０−２から出力されたフィードバック信号のうち、いずれか一方のフィードバック信号を選択する。そして、ＳＷ１９は、選択したフィードバック信号をＡＤＣ１２へ出力する。ＳＷ１９は、選択部の一例である。ＡＤＣ１２は、ＳＷ１９から出力されたフィードバック信号をアナログ信号からデジタル信号に変換し、変換後のフィードバック信号を更新部２４へ出力する。
【００９４】
ＳＷ１８は、制御部１５からの制御信号に応じて、送信部５０−１に入力される送信信号および送信部５０−２に入力される送信信号のうち、いずれか一方の送信信号を選択する。そして、ＳＷ１８は、選択した送信信号を更新部２４へ出力する。更新部２４は、ＳＷ１８から出力された送信信号と、ＡＤＣ１２から出力されたフィードバック信号とに基づいて、歪補償係数を算出する。そして、更新部２４は、算出した歪補償係数で、ＬＵＴ２３内の歪補償係数を更新する。
【００９５】
このように、本実施例における基地局１０には、複数の送信部５０について、ＡＤＣ１２および更新部２４が共通に１つ設けられている。これにより、基地局１０の回路規模を削減することができる。
【００９６】
［更新処理のタイミング］
図１６は、実施例４における更新処理のタイミングの一例を示すタイミングチャートである。制御部１５は、例えば図１６（ａ）に示すように、ブランチＡのＬＵＴ２３の更新タイミングでブランチＡが選択され、ブランチＢのＬＵＴ２３の更新タイミングでブランチＢが選択されるように、ＳＷ１８およびＳＷ１９を制御する。図１６（ａ）において、Ｈｉｇｈ状態は、ＳＷ１８およびＳＷ１９によってブランチＡが選択されている状態を示しており、Ｌｏｗ状態は、ＳＷ１８およびＳＷ１９によってブランチＢが選択されている状態を示している。
【００９７】
また、制御部１５は、ブランチＡのＬＵＴ２３の更新タイミングにおいて、ブランチＡの減衰器３６に第１の減衰量を設定し、ブランチＢの減衰器３６に、第１の減衰量よりも減衰量が大きい第２の減衰量を設定する。また、制御部１５は、ブランチＢのＬＵＴ２３の更新タイミングにおいて、ブランチＢの減衰器３６に第１の減衰量を設定し、ブランチＡの減衰器３６に第２の減衰量を設定する。これにより、ブランチＡの減衰器３６に設定される減衰量は、例えば図１６（ｂ）に示すように変化し、ブランチＢの減衰器３６に設定される減衰量は、例えば図１６（ｄ）に示すように変化する。
【００９８】
更新部２４は、ＳＷ１８およびＳＷ１９がブランチＡを選択している間に、ＳＷ１８が選択した送信信号と、ＡＤＣ１２から出力されたフィードバック信号とに基づいて、ブランチＡのＬＵＴ２３内の歪補償係数を更新する。これにより、ブランチＡのＬＵＴ２３内の歪補償係数は、例えば図１６（ｃ）に示すタイミングで更新される。また、更新部２４は、ＳＷ１８およびＳＷ１９がブランチＢを選択している間に、ＳＷ１８が選択した送信信号と、ＡＤＣ１２から出力されたフィードバック信号とに基づいて、ブランチＢのＬＵＴ２３内の歪補償係数を更新する。これにより、ブランチＢのＬＵＴ２３内の歪補償係数は、例えば図１６（ｅ）に示すタイミングで更新される。図１６（ｃ）および図１６（ｅ）において、Ｈｉｇｈ状態は、更新部２４がＬＵＴ２３内の歪補償係数を更新している状態を示している。また、図１６（ｃ）および図１６（ｅ）において、Ｌｏｗ状態は、更新部２４がＬＵＴ２３内の歪補償係数の更新を停止している状態、即ち、ＬＵＴ２３内の歪補償係数が保持されている状態を示している。
【００９９】
［実施例４の効果］
上記説明から明らかなように、本実施例の基地局１０は、複数の送信部５０のそれぞれが有するフィードバック経路のうち、制御部１５によって第１の減衰量が設定された減衰器３６が設けられたフィードバック経路を選択するＳＷ１９を有する。更新部２４は、複数の送信部５０について共通に１つ設けられ、ＳＷ１９によって選択されたフィードバック経路を介してフィードバックされた信号に基づいて歪補償係数を算出する。これにより、基地局１０は、各送信部５０内のＰＡ３４の歪みを精度よく補償することができる。また、基地局１０は、基地局１０の回路規模を削減することができる。
【０１００】
［ハードウェア］
上記した各実施例における基地局１０は、例えば図１７に示すようなハードウェアにより実現される。図１７は、基地局１０のハードウェアの一例を示す図である。基地局１０は、例えば図１７に示すように、インターフェイス回路１００、メモリ１０１、プロセッサ１０２、複数の無線回路１０３−１〜１０３−２、および複数のアンテナ１０４−１〜１０４−２を有する。なお、以下では、複数の無線回路１０３−１〜１０３−２のそれぞれを区別することなく総称する場合に、単に無線回路１０３と記載し、複数のアンテナ１０４−１〜１０４−２のそれぞれを区別することなく総称する場合に、単にアンテナ１０４と記載する。
【０１０１】
インターフェイス回路１００は、有線接続によってコアネットワークに接続するためのインターフェイスである。それぞれの無線回路１０３は、プロセッサ１０２から出力された信号にアップコンバート等の処理を施し、処理後の信号をいずれかのアンテナ１０４を介して送信する。また、それぞれの無線回路１０３は、ＰＡ３４を有し、ＰＡ３４から出力された信号の一部にダウンコンバート等の処理を施してプロセッサ１０２へフィードバックする。それぞれの無線回路１０３は、送信部５０内のＤＡＣ１１、ＡＤＣ１２、およびアナログ送信部３０の機能を実現する。
【０１０２】
メモリ１０１には、例えば、制御部１５、記憶部１６、ＳＷ１８、ＳＷ１９、および歪補償部２０等の機能を実現するための各種プログラム等が格納される。プロセッサ１０２は、メモリ１０１から読み出したプログラムを実行することにより、例えば、制御部１５、記憶部１６、ＳＷ１８、ＳＷ１９、および歪補償部２０等の各機能を実現する。なお、図１７に例示した基地局１０では、プロセッサ１０２が１つ設けられているが、プロセッサ１０２は複数設けられていてもよい。
【０１０３】
＜その他＞
なお、開示の技術は、上記した各実施例に限定されるものではなく、その要旨の範囲内で数々の変形が可能である。
【０１０４】
例えば、上記した各実施例では、各ブランチにおいて、減衰器３６は、カプラ３５から出力されたフィードバック信号の電力を減衰させる。そして、減衰器３６によって電力が減衰したフィードバック信号は、配線３８、ダウンコンバータ３３、および配線３９を介して、歪補償部２０へフィードバックされる。しかし、開示の技術はこれに限られない。例えば、各ブランチにおいて、減衰器３６を、カプラ３５とダウンコンバータ３３との間の配線３８ではなく、ダウンコンバータ３３とＡＤＣ１２との間の配線３９に配置してもよい。
【０１０５】
この場合、各ブランチのフィードバック経路には、他のブランチからの干渉信号が発生するが、当該干渉信号は、配線３９に配置された減衰器３６によって減衰される。これにより、配線３９に配置された減衰器３６によって、歪補償部２０へフィードバックされる信号内のフィードバック信号も減少するものの、干渉信号の電力も減少する。そのため、歪補償部２０による歪補償の精度の低下を抑制することができる。なお、配線３９に配置された減衰器３６の減衰量を大きくすれば、干渉信号の電力の減衰量は大きくなるが、減衰器３６の減衰量を大きくし過ぎると、歪補償の対象となるフィードバック信号も減少してしまう。そのため、各ブランチの減衰器３６の減衰量は、当該ブランチの配線３９に存在する干渉信号の電力とノイズフロアＰnとの電力差に相当する減衰量であることが好ましい。
【符号の説明】
【０１０６】
１０  基地局
１１  ＤＡＣ
１２  ＡＤＣ
１５  制御部
１６  記憶部
１６０  減衰量テーブル
１６１  識別子
１６２  個別テーブル
１６３  送信電力
１６４  減衰量
１６５  調整値
１８  ＳＷ
１９  ＳＷ
２０  歪補償部
２１  歪補償処理部
２２  アドレス生成部
２３  ＬＵＴ
２４  更新部
２５  ゲイン調整部
３０  アナログ送信部
３１  アップコンバータ
３２  発振器
３３  ダウンコンバータ
３４  ＰＡ
３５  カプラ
３６  減衰器
３７  アンテナ
３８  配線
３９  配線
４０  フィードバック信号
４１  干渉信号
４２  フィードバック信号
４３  干渉信号
５０  送信部
１００  インターフェイス回路
１０１  メモリ
１０２  プロセッサ
１０３  無線回路
１０４  アンテナ
【図１】
2018078532.tif 000003
【図２】
2018078532.tif 000004
【図３】
2018078532.tif 000005
【図４】
2018078532.tif 000006
【図５】
2018078532.tif 000007
【図６】
2018078532.tif 000008
【図７】
2018078532.tif 000009
【図８】
2018078532.tif 000010
【図９】
2018078532.tif 000011
【図１０】
2018078532.tif 000012
【図１１】
2018078532.tif 000013
【図１２】
2018078532.tif 000014
【図１３】
2018078532.tif 000015
【図１４】
2018078532.tif 000016
【図１５】
2018078532.tif 000017
【図１６】
2018078532.tif 000018
【図１７】
2018078532.tif 000019